(57)【要約】【課題】  本発明の目的は、使用環境に応じた使用モードを有し、紙づまり処理または転写紙を取り出すための扉を使用モードに合わせてロックまたはロック解除することが可能な画像形成装置を提供することにある。【解決手段】  通常の画像形成を行う通常モードと、機密の文書の画像形成を行うセキュリティモードのいずれかに設定され画像形成を行う画像形成装置において、紙づまり処理のための扉４０１を、セキュリティモードに設定された場合にはロックし、通常モードの場合にロック解除する。【選択図】      図２
2005319735.tif 000002
【特許請求の範囲】
【請求項１】
通常モード、または、セキュリティモードのいずれかの画像形成モードに設定され、文書の画像形成を行う画像形成装置において、
紙づまり処理のための扉と、
前記扉をロックまたはロック解除する制御手段とを備え、
前記制御手段は、前記セキュリティモードに設定された場合には、前記扉をロックする制御をし、前記通常モードに設定された場合には、前記扉をロック解除する制御をすることを特徴とする画像形成装置。
【請求項２】
通常モード、または、セキュリティモードのいずれかの画像形成モードに設定され、文書の画像形成を行う画像形成装置において、
紙づまり処理のための扉と、
作業者を認証をする認証手段と、
前記扉をロックまたはロック解除する制御手段とを備え、
前記制御手段は、前記セキュリティモードに設定された場合には、前記扉をロックし、さらに、前記認証手段により作業者が認証された場合に前記扉をロック解除する制御をし、前記通常モードに設定された場合には、前記扉をロック解除する制御をすることを特徴とする画像形成装置。
【請求項３】
前記認証は、生体情報、ＩＣカード、または、パスワードの少なくとも１つを用いて行う請求項２に記載の画像形成装置。
【請求項４】
通常モード、または、セキュリティモードのいずれかの画像形成モードに設定され、文書の画像形成を行う画像形成装置において、
紙づまり処理のための扉と、
生体情報を読み取る生体情報読取手段と、
記憶手段と、
前記扉をロックまたはロック解除する制御手段とを備え、
前記制御手段は、前記セキュリティモードに設定された場合には、前記扉をロックし、さらに、前記生体情報読取手段で生体情報が読み取られた場合に前記生体情報を前記記憶手段に記憶するとともに前記扉をロック解除する制御をし、前記通常モードに設定された場合には、前記扉をロック解除する制御をすることを特徴とする画像形成装置。
【請求項５】
前記扉をロックするためのロック部材を更に備え、
前記制御手段は、前記ロック部材を制御して前記扉をロックまたはロック解除する請求項１乃至請求項４のいずれかに記載の画像形成装置。
【請求項６】
通常モード、または、セキュリティモードのいずれかの画像形成モードに設定され、文書の画像形成を行う画像形成装置において、
画像形成された文書を取り出すための扉を有する排紙トレイと、
前記扉をロックまたはロック解除する制御手段とを備え、
前記制御手段は、前記セキュリティモードに設定された場合には、前記扉をロックする制御をし、前記通常モードに設定された場合には、前記扉をロック解除する制御をすることを特徴とする画像形成装置。
【請求項７】
通常モード、または、セキュリティモードのいずれかの画像形成モードに設定され、文書の画像形成を行う画像形成装置において、
画像形成された文書を取り出すための扉を有する排紙トレイと、
作業者を認証をする認証手段と、
前記扉をロックまたはロック解除する制御手段とを備え、
前記制御手段は、前記セキュリティモードに設定された場合には、前記扉をロックし、さらに、前記認証手段により作業者が認証された場合に前記扉をロック解除する制御をし、前記通常モードに設定された場合には、前記扉をロック解除する制御をすることを特徴とする画像形成装置。
【請求項８】
前記認証は、生体情報、ＩＣカード、または、パスワードの少なくとも１つを用いて行う請求項７に記載の画像形成装置。
【請求項９】
通常モード、または、セキュリティモードのいずれかの画像形成モードに設定され、文書の画像形成を行う画像形成装置において、
画像形成された文書を取り出すための扉を有する排紙トレイと、
生体情報を読み取る生体情報読取手段と、
記憶手段と、
前記扉をロックまたはロック解除する制御手段とを備え、
前記制御手段は、前記セキュリティモードに設定された場合には、前記扉をロックし、さらに、前記生体情報読取手段で生体情報が読み取られた場合に前記生体情報を前記記憶手段に記憶するとともに前記扉をロック解除する制御をし、前記通常モードに設定された場合には、前記扉をロック解除する制御をすることを特徴とする画像形成装置。
【請求項１０】
前記扉をロックするためのロック部材を更に備え、
前記制御手段は、前記ロック部材を制御して前記扉をロックまたはロック解除する請求項６乃至請求項９のいずれかに記載の画像形成装置。
【請求項１１】
通常モード、または、セキュリティモードのいずれかの画像形成モードに設定され、文書の画像形成を行う画像形成装置において、
画像形成された文書を取り出すための扉を有する排紙トレイと、
紙づまり処理のための扉と、
前記２つの扉のそれぞれをロックまたはロック解除する制御手段とを備え、
前記制御手段は、前記セキュリティモードに設定された場合には、前記２つの扉をロックする制御をし、前記通常モードに設定された場合には、前記２つの扉をロック解除する制御をすることを特徴とする画像形成装置。
【請求項１２】
通常モード、または、セキュリティモードのいずれかの画像形成モードに設定され、文書の画像形成を行う画像形成装置において、
画像形成された文書を取り出すための扉を有する排紙トレイと、
紙づまり処理のための扉と、
作業者を認証をする認証手段と、
前記２つの扉のそれぞれをロックまたはロック解除する制御手段とを備え、
前記制御手段は、前記セキュリティモードに設定された場合には、前記２つ扉をロックし、さらに、前記認証手段により作業者が認証された場合に前記２つの扉の少なくとも１つの扉をロック解除する制御をし、前記通常モードに設定された場合には、前記２つ扉をロック解除する制御をすることを特徴とする画像形成装置。
【請求項１３】
前記認証は、生体情報、ＩＣカード、または、パスワードの少なくとも１つを用いて行う請求項１２に記載の画像形成装置。
【請求項１４】
通常モード、または、セキュリティモードのいずれかの画像形成モードに設定され、文書の画像形成を行う画像形成装置において、
画像形成された文書を取り出すための扉を有する排紙トレイと、
紙づまり処理のための扉と、
生体情報を読み取る生体情報読取手段と、
記憶手段と、
前記２つの扉のそれぞれをロックまたはロック解除する制御手段とを備え、
前記制御手段は、前記セキュリティモードに設定された場合には、前記２つの扉をロックし、さらに、前記生体情報読取手段で生体情報が読み取られた場合に前記生体情報を前記記憶手段に記憶するとともに前記２つの扉の少なくとも１つの扉をロック解除する制御をし、前記通常モードに設定された場合には、前記２つの扉をロック解除する制御をすることを特徴とする画像形成装置。
【請求項１５】
前記扉をロックするためのロック部材を更に備え、
前記制御手段は、前記ロック部材を制御して前記扉をロックまたはロック解除する請求項１１乃至請求項１４のいずれかに記載の画像形成装置。
【発明の詳細な説明】
【技術分野】
【０００１】
本発明は、通常の画像形成を行う通常モード、または、機密文書の画像形成を行うセキュリティモードのいずれかに設定され、文書の画像形成を行う画像形成装置に関する。
【背景技術】
【０００２】
従来、文書のセキュリティを確保するために、複写機を使用する場合に、認証により使用可能となるようにしてユーザを限定し勝手に複写機を使用できないようにしたり、保存されたデータを画像出力する場合には、認証によりデータにアクセス可能となるようにしてデータを勝手に画像出力できないようにしたりしていた。
【０００３】
また、複写を行う個人の認証情報を、読み取った画像データに透かし情報として書き込み合成して記憶し、出力する際には透かしデータが合成された画像データを転写紙に印刷することにより、機密文書の漏洩に対する管理を行うものがある（例えば、特許文献１参照。）。また、機密文書とは、いわゆる営業秘密に関わるものであり、秘密として管理され、有用な技術上または営業上の情報であって、公然と知られていないものに関わるものである。
【０００４】
また、通常、複写機は複数のユーザにより共有され使用されるために、印刷された書類が不特定の他のユーザの目に触れてしまうことがあり得る。そこで、トレイに設けた取り出し用の扉を認証により開くようにして不特定の他のユーザの目に触れないようにした複写機がある（例えば、特許文献２参照。）。
【０００５】
【特許文献１】特開２０００−１８７４１９号公報
【特許文献２】特開２００１−２６５７３９号公報
【発明の開示】
【発明が解決しようとする課題】
【０００６】
上述のように、セキュリティを確保して、文書の漏洩を防ぐことができるが、作業を行う際に認証を行うことなど、使用勝手が悪くなる場合があり、使用環境によっては、好まれないことがある。例えば、特許文献２に記載の複写機では、印刷された書類を取り出すためには必ず認証を行う必要があり面倒である。
【０００７】
また、紙づまりなどにより、印刷された転写紙が搬送路中にある場合には、紙づまり処理のための扉を開けて取り除く必要がある。使用しているユーザ自身が紙づまり処理を行い取り除くことができればよいが、できない場合には、第３者の作業者にその作業を任せることになり、文書が第３者の目に触れることになる。また、紙づまり処理以外でも第３者は搬送路から印刷された転写紙を盗み見ることができる。
【０００８】
本発明は、上記事情に鑑みてなされたものであり、その目的とするところは、使用環境に応じた画像形成モードを有し、紙づまり処理または転写紙を取り出すための扉を画像形成モードに合わせてロックまたはロック解除することが可能な画像形成装置を提供することにある。
【課題を解決するための手段】
【０００９】
上記課題を解決するために請求項１記載の発明は、通常モード、または、セキュリティモードのいずれかの画像形成モードに設定され、文書の画像形成を行う画像形成装置において、紙づまり処理のための扉と、前記扉をロックまたはロック解除する制御手段とを備え、前記制御手段は、前記セキュリティモードに設定された場合には、前記扉をロックする制御をし、前記通常モードに設定された場合には、前記扉をロック解除する制御をすることを特徴としている。
【００１０】
また、請求項２記載の発明は、通常モード、または、セキュリティモードのいずれかの画像形成モードに設定され、文書の画像形成を行う画像形成装置において、紙づまり処理のための扉と、作業者を認証をする認証手段と、前記扉をロックまたはロック解除する制御手段とを備え、前記制御手段は、前記セキュリティモードに設定された場合には、前記扉をロックし、さらに、前記認証手段により作業者が認証された場合に前記扉をロック解除する制御をし、前記通常モードに設定された場合には、前記扉をロック解除する制御をすることを特徴としている。
【００１１】
また、請求項３記載の発明は、前記認証は、生体情報、ＩＣカード、または、パスワードの少なくとも１つを用いて行うことを特徴としている。
【００１２】
また、請求項４記載の発明は、通常モード、または、セキュリティモードのいずれかの画像形成モードに設定され、文書の画像形成を行う画像形成装置において、紙づまり処理のための扉と、生体情報を読み取る生体情報読取手段と、記憶手段と、前記扉をロックまたはロック解除する制御手段とを備え、前記制御手段は、前記セキュリティモードに設定された場合には、前記扉をロックし、さらに、前記生体情報読取手段で生体情報が読み取られた場合に前記生体情報を前記記憶手段に記憶するとともに前記扉をロック解除する制御をし、前記通常モードに設定された場合には、前記扉をロック解除する制御をすることを特徴としている。
【００１３】
また、請求項５記載の発明は、前記扉をロックするためのロック部材を更に備え、前記制御手段は、前記ロック部材を制御して前記扉をロックまたはロック解除することを特徴としている。
【００１４】
また、請求項６記載の発明は、通常モード、または、セキュリティモードのいずれかの画像形成モードに設定され、文書の画像形成を行う画像形成装置において、画像形成された文書を取り出すための扉を有する排紙トレイと、前記扉をロックまたはロック解除する制御手段とを備え、前記制御手段は、前記セキュリティモードに設定された場合には、前記扉をロックする制御をし、前記通常モードに設定された場合には、前記扉をロック解除する制御をすることを特徴としている。
【００１５】
また、請求項７記載の発明は、通常モード、または、セキュリティモードのいずれかの画像形成モードに設定され、文書の画像形成を行う画像形成装置において、画像形成された文書を取り出すための扉を有する排紙トレイと、作業者を認証をする認証手段と、前記扉をロックまたはロック解除する制御手段とを備え、前記制御手段は、前記セキュリティモードに設定された場合には、前記扉をロックし、さらに、前記認証手段により作業者が認証された場合に前記扉をロック解除する制御をし、前記通常モードに設定された場合には、前記扉をロック解除する制御をすることを特徴としている。
【００１６】
また、請求項８記載の発明は、前記認証は、生体情報、ＩＣカード、または、パスワードの少なくとも１つを用いて行うことを特徴としている。
【００１７】
また、請求項９記載の発明は、通常モード、または、セキュリティモードのいずれかの画像形成モードに設定され、文書の画像形成を行う画像形成装置において、画像形成された文書を取り出すための扉を有する排紙トレイと、生体情報を読み取る生体情報読取手段と、記憶手段と、前記扉をロックまたはロック解除する制御手段とを備え、前記制御手段は、前記セキュリティモードに設定された場合には、前記扉をロックし、さらに、前記生体情報読取手段で生体情報が読み取られた場合に前記生体情報を前記記憶手段に記憶するとともに前記扉をロック解除する制御をし、前記通常モードに設定された場合には、前記扉をロック解除する制御をすることを特徴としている。
【００１８】
また、請求項１０記載の発明は、前記扉をロックするためのロック部材を更に備え、前記制御手段は、前記ロック部材を制御して前記扉をロックまたはロック解除することを特徴としている。
【００１９】
また、請求項１１記載の発明は、通常モード、または、セキュリティモードのいずれかの画像形成モードに設定され、文書の画像形成を行う画像形成装置において、画像形成された文書を取り出すための扉を有する排紙トレイと、紙づまり処理のための扉と、前記２つの扉のそれぞれをロックまたはロック解除する制御手段とを備え、前記制御手段は、前記セキュリティモードに設定された場合には、前記２つの扉をロックする制御をし、前記通常モードに設定された場合には、前記２つの扉をロック解除する制御をすることを特徴としている。
【００２０】
また、請求項１２記載の発明は、通常モード、または、セキュリティモードのいずれかの画像形成モードに設定され、文書の画像形成を行う画像形成装置において、画像形成された文書を取り出すための扉を有する排紙トレイと、紙づまり処理のための扉と、作業者を認証をする認証手段と、前記２つの扉のそれぞれをロックまたはロック解除する制御手段とを備え、前記制御手段は、前記セキュリティモードに設定された場合には、前記２つ扉をロックし、さらに、前記認証手段により作業者が認証された場合に前記２つの扉の少なくとも１つの扉をロック解除する制御をし、前記通常モードに設定された場合には、前記２つ扉をロック解除する制御をすることを特徴としている。
【００２１】
また、請求項１３記載の発明は、前記認証は、生体情報、ＩＣカード、または、パスワードの少なくとも１つを用いて行うことを特徴としている。
【００２２】
また、請求項１４記載の発明は、通常モード、または、セキュリティモードのいずれかの画像形成モードに設定され、文書の画像形成を行う画像形成装置において、画像形成された文書を取り出すための扉を有する排紙トレイと、紙づまり処理のための扉と、生体情報を読み取る生体情報読取手段と、記憶手段と、前記２つの扉のそれぞれをロックまたはロック解除する制御手段とを備え、前記制御手段は、前記セキュリティモードに設定された場合には、前記２つの扉をロックし、さらに、前記生体情報読取手段で生体情報が読み取られた場合に前記生体情報を前記記憶手段に記憶するとともに前記２つの扉の少なくとも１つの扉をロック解除する制御をし、前記通常モードに設定された場合には、前記２つの扉をロック解除する制御をすることを特徴としている。
【００２３】
また、請求項１５記載の発明は、前記扉をロックするためのロック部材を更に備え、前記制御手段は、前記ロック部材を制御して前記扉をロックまたはロック解除することを特徴としている。
【発明の効果】
【００２４】
請求項１記載の画像形成装置によれば、セキュリティモードでは、紙づまり処理のための扉がロックされるので紙づまりの際でも文書の漏洩を防ぎ、通常モードでは、紙づまり処理のための扉をロック解除するので紙づまり処理を容易に行うことができる。
【００２５】
請求項２記載の画像形成装置によれば、セキュリティモードで紙づまり処理のための扉が作業者の認証によりロック解除されるので紙づまり処理の作業者を限定でき文書の漏洩を防ぐことができる。また、通常モードでは、紙づまり処理のための扉がロック解除されるので紙づまり処理を容易に行うことができる。
【００２６】
請求項３記載の画像形成装置によれば、認証を生体情報、ＩＣカード、または、パスワードを用いることによって行うことができる。
【００２７】
請求項４記載の画像形成装置によれば、セキュリティモードで紙づまり処理のための扉を紙づまり処理の作業者の生体情報を記憶することによりロック解除することができ、一方、紙づまり処理の作業者の生体情報を記憶するので機密文書の漏洩に対する管理を行うことができる。また、通常モードでは、紙づまり処理のための扉がロック解除されるので紙づまり処理を容易に行うことができる。
【００２８】
請求項５記載の画像形成装置によれば、ロック部材を制御して紙づまり処理のための扉をロックまたはロック解除することができる。
【００２９】
請求項６記載の画像形成装置によれば、セキュリティモードでは、文書を取り出すための扉がロックされるので文書の漏洩を防ぎ、通常モードでは、文書を取り出すための扉をロック解除するので文書の取出しまたは紙づまり処理を容易に行うことができる。
【００３０】
請求項７記載の画像形成装置によれば、セキュリティモードで文書を取り出すための扉が作業者の認証によりロック解除されるので文書の取り出しまたは紙づまり処理の作業者を限定でき文書の漏洩を防ぐことができる。また、通常モードでは、文書を取り出すための扉がロック解除されるので文書の取り出しまたは紙づまり処理を容易に行うことができる。
【００３１】
請求項８記載の画像形成装置によれば、認証を生体情報、ＩＣカード、または、パスワードを用いることによって行うことができる。
【００３２】
請求項９記載の画像形成装置によれば、セキュリティモードで文書を取り出すための扉を作業者の生体情報を記憶することによりロック解除することができ、一方、作業者の生体情報を記憶するので機密文書の漏洩に対する管理を行うことができる。また、通常モードでは、文書を取り出すための扉がロック解除されるので文書の取り出しまたは紙づまり処理を容易に行うことができる。
【００３３】
請求項１０記載の画像形成装置によれば、ロック部材を制御して紙づまり処理のための扉をロックまたはロック解除することができる。
【００３４】
請求項１１記載の画像形成装置によれば、セキュリティモードでは、紙づまり処理のための扉及び文書を取り出すための扉がロックされるので文書の漏洩を防ぎ、通常モードでは、紙づまり処理のための扉及び文書を取り出すための扉をロック解除するので文書の取出しまたは紙づまり処理を容易に行うことができる。
【００３５】
請求項１２記載の画像形成装置によれば、セキュリティモードで紙づまり処理のための扉または文書を取り出すための扉が作業者の認証によりロック解除されるので文書の取り出しまたは紙づまり処理の作業者を限定でき文書の漏洩を防ぐことができる。また、通常モードでは、紙づまり処理のための扉及び文書を取り出すための扉がロック解除されるので文書の取り出しまたは紙づまり処理を容易に行うことができる。
【００３６】
請求項１３記載の画像形成装置によれば、認証を生体情報、ＩＣカード、または、パスワードを用いることによって行うことができる。
【００３７】
請求項１４記載の画像形成装置によれば、セキュリティモードで紙づまり処理のための扉または文書を取り出すための扉を作業者の生体情報を記憶することによりロック解除することができ、一方、作業者の生体情報を記憶するので機密文書の漏洩に対する管理を行うことができる。また、通常モードでは、紙づまり処理のための扉及び文書を取り出すための扉がロック解除されるので文書の取り出しまたは紙づまり処理を容易に行うことができる。
【００３８】
請求項１５記載の画像形成装置によれば、ロック部材を制御して紙づまり処理のための扉をロックまたはロック解除することができる。
【発明を実施するための最良の形態】
【００３９】
（外観）
以下では、本発明の一実施の形態の画像形成装置である複写機１について図を参照しつつ説明する。図１に複写機１の外観図を示す。
【００４０】
図１によれば、上部には、複数枚の原稿を順次自動的に読み取り可能な自動両面原稿搬送部（ＲＡＤＦ）１００を備えている。この自動両面原稿搬送部１００をその奥側を支点として手前側を矢印Ａ方向に持ち上げることが可能で、自動両面原稿搬送部１００を持ち上げて原稿Ｓの原稿面（画像が形成されている面）を後述のプラテンガラス（原稿ガラス）１１表面に対向するよう載置して画像データを読み取ることも可能である。
【００４１】
また、上部手前側には、各種入力を行うための操作表示部８、及び、指紋を読み取るための指紋読取手段４を備えている。また、指紋読取手段４の下側には、ＩＣカードを挿入して情報の読取り及び書き込みを行うためのＩＣカードドライブ６を備えている。
【００４２】
前面上側には、紙づまり処理のためのジャム除去扉４０１を備え、左側を支点として右側を矢印Ｂ方向に引いて開くことが可能である（後述の図２参照）。また、前面下側には、給紙カセット４１（図では４１１、４１２、４１３の三段）を備えている。各給紙カセット４１は、転写紙Ｐの補充等のために矢印Ｃ方向に引き出すことが可能である。なお、本実施形態において「転写紙」とは、通常の紙葉の他、ＯＨＰ等を含むものに該当する。
【００４３】
左側には、転写紙排紙部５０を備えている。この転写紙排紙部５０の詳細については、後述するものとする。
【００４４】
（ジャム除去扉内部）
さらに、図２にジャム除去扉４０１を開いた状態を示し、ジャム除去について説明する。図２に示すように、ジャム除去扉４０１を開くと、ジャム除去レバー４０２が備えられている。紙づまりを発生した場合には、このジャム除去レバー４０２を矢印Ｄ方向に倒して、搬送ユニット４０４を矢印Ｅ方向に引き出して、搬送路内の転写紙Ｐを排除することができる。ただし、ジャム除去扉４０１は、ジャム除去扉ロック部材４０３をロック解除した場合に開くことができる。このジャム除去扉ロック部材４０３の制御については後述する。また、ジャム除去扉４０１が開いた状態か閉じた状態かを検知するためのジャム除去扉開閉センサ４０５を備えている。
【００４５】
（構成）
図３は、複写機１の機構的構成の一例を示す概要図である。図３において、複写機１は、画像読取部１０、画像書込部２０、画像形成部３０、転写紙搬送部４０及び転写紙排紙部５０を含んで構成されている。
【００４６】
これら各部は次のように動作する。画像読取部１０は、原稿Ｓの原稿面がプラテンガラス（原稿ガラス）１１表面に対向するよう載置され、例えばハロゲンランプ等の走査光源１２により光が投射される。この光は、原稿面で反射され、ミラー１３及びミラー１４１、１４２を反射してレンズ１６を介してＣＣＤ撮像装置１７に到達し、ここで電気信号（原稿画像データ）に変換される。また、図１に示したように自動両面原稿搬送部（ＲＡＤＦ）１００を備え、原稿載置台１０１上から給送される複数枚の原稿Ｓの内容を順次自動的に読みとる。
【００４７】
画像書込部２０は半導体レーザ２２を備え、ＣＣＤ撮像装置１７から送られてくる電気信号、あるいはファクシミリ機能により受信した原稿面についての電気信号（受信画像データ）、さらには本複写機１に接続されているパーソナルコンピュータから送られてくる画像データに基づき、そのレーザ発振態様は制御される。この制御されたレーザビームは、画像形成部３０を構成する感光体ドラム３１上に、静電潜像を形成する。そして、画像形成部３０は、この静電潜像に現像部３３によってトナー粒子を付着させてこれを顕像化し、その後に転写紙搬送部４０を構成する給紙カセット４１（図３では４１１、４１２、４１３の三段）から、搬送路を通り給送されてくる転写紙Ｐ上に前記トナー粒子を転写して、トナー像を形成する。転写紙Ｐはこの後、搬送路を通って、定着部３８を通過して前記転写されたトナー粒子の定着が図られ、ローラ３９により転写紙排紙部５０へ搬送される。また、上記した感光体ドラム３１から転写紙Ｐへのトナー像の転写を、転写紙Ｐの一方の面のみへ行うのではなく、その他方の面に対しても実施する場合には、片面複写を終えた転写紙Ｐは転写紙反転部４２へと搬送し、転写紙Ｐを反転し、再び画像書込部２０へ搬送して、前に転写された面とは、別の面にトナー像の転写をし、上記定着及び転写紙排紙部５０への搬送を行う。ここで、トナー像が転写された転写紙は、転写紙に画像が形成された文書と言うことができる。また、転写紙Ｐの搬送路には、例えば、給紙カセット４１から感光ドラム３１までの間、感光ドラム３１から定着部３８までの間、及び、定着部３８からローラ３９までの間に紙づまりを検知するためのジャムセンサ４０６（ジャム検知手段）がそれぞれ設けられている。また、図２で説明した搬送ユニット４０４は、図３中の一点鎖線で囲む範囲の例えば、定着部３８や搬送路を構成するローラ、搬送ガイド等を含んで構成される。
【００４８】
転写紙排紙部５０は、画像形成された転写紙Ｐを載置して収容するための複数の親展排紙トレイ５１（図３では５１１、５１２、５１３の３つ）を備え、まず、ローラ５４により転写紙Ｐを搬送し、切換ゲート５３（図３では５３１、５３２の２つ）で搬送路を切り換えて、ローラ５５（図３では５５１、５５２、５５３の３つ）を選択的に駆動することにより、いずれかの親展排紙トレイ５１に排紙される。また、ローラ５５のそれぞれの近傍には紙づまりを検知するためのジャムセンサ４０６が設けてある。また、親展排紙トレイ５１のそれぞれに収容された転写紙Ｐ（画像形成された文書）を取り出すためのそれぞれの取出し扉５２（図３では５２１、５２２、５２３の３つ）を備える。また、各取出し扉５２は、各取出し扉ロック部材５０１をロック解除した場合に開くことができる。この取出し扉ロック部材５０１の制御については後述する。また、取出し扉５２が開いた状態か閉じた状態かを検知するための取出し扉開閉センサ５０２を備えている。また、この親展排紙トレイ５１及び取出し扉５２を含んで親展ボックス５６（図３では５６１、５６２、５６３の３つ）は構成される。以下では、親展排紙トレイ５１への排紙を親展ボックスへの排紙と言うことがある。また、ローラ５５に挟持された状態で転写紙が紙づまりとなった場合には、取出し扉５２を開けてジャムを除去する場合もある。
【００４９】
次に、本実施の形態の複写機１の電気的な装置構成例について、図４に示すブロック図を参照して説明する。本実施の形態の複写機１は、印刷ジョブデータに基づいて、印刷ジョブを実行するもので、電気的には、図４に示すように、画像読取部１０、画像書込部２０、画像形成部３０、転写紙搬送部４０、転写紙排紙部５０、操作表示部８、記憶部３、指紋情報読取手段４、ＩＣカード読取手段６、認証モジュール７、及び、制御部５で構成されている。
【００５０】
また、印刷ジョブデータとは、原稿Ｓ（後述、図３参照）から読み込んだ画像データと、該画像デ−タに関する画像形成を実行する上で、複写機１を駆動するために必要となる動作環境条件である設定デ−タとにより構成された「１単位」の画像情報として定義される。また、その印刷ジョブデータに基づいて画像形成を行うことを印刷ジョブを実行するという。また、ＰＣ（パーソナルコンピュータ）で画像データの作成及び設定データの付加を行い、印刷ジョブデータとして作成してもよい。また、画像デ−タとは、原稿Ｓの原稿面に記載されているような文字、絵柄等の画像をデジタルデータ化したものある。また、設定デ−タとは、換言すれば、上記画像デ−タを出力する際の画像形成装置に関する制御条件のことである。具体的には、原稿Ｓ又は転写紙Ｐに関するＡ４／Ｂ５等のサイズに係わる区別情報、同じく普通紙／厚紙／薄紙（種別）に関する区別情報、画像を転写紙Ｐ上に形成する際の当該画像の倍率又は画像濃度に係わる情報等が含まれる。
【００５１】
操作表示部８は、具体的構成として、例えば操作の受付けを行うタッチパネルとパターンや文字の表示を行う表示器としてのＬＣＤとが重ねて配置されてなる周知のＬＣＤタッチパネルを採用すればよい。ＬＣＤに表示されている位置でタッチパネルを押下して各種入力及び操作が可能な入力手段としての機能を備え、例えば、後述の画像形成モードの選択の入力、複写濃度や倍率等印刷ジョブの設定データの入力、或いは、管理者またはユーザに関する情報の入力等を行うことができる。
【００５２】
指紋情報読取手段４は、指を押し付けるための窓を有し、押し付けられた指に光を照射し、指からの反射光を窓を介して受光して、受光した光に基づいて押し付けられた指の指紋情報を読み取る。言うまでも無いが、指紋情報の他の生体情報、例えば声帯情報または虹彩情報を読み取るものであってもよい。
【００５３】
ＩＣカードドライブ６は、ＩＣカードを挿入するための挿入口を有し、挿入されたＩＣカードに記載された情報を読み取る、または、情報を欠き着込むためのものである。
【００５４】
記憶部３は、印刷ジョブデータなどを記憶、また、管理者及びユーザの認証情報を記憶する記憶手段としての機能を備える。
【００５５】
認証モジュール７は、認証手段としての機能を有し、操作表示部８から入力されるパスワードまたは指紋情報読取手段４からの指紋情報等の認証情報と記憶部３に記憶されている認証情報とを比較して認証を行う。
【００５６】
転写紙搬送部４０は、上述のジャム除去扉ロック部材４０３、ジャム除去扉開閉センサ４０５、及び、ジャムセンサ４０６を含む。ジャム除去扉ロック部材４０３は、例えば、電磁ソレノイドなどを備え、電気信号により電磁ソレノイドなどが制御されて、ロックまたはロック解除と切り換えられるものでよい。また、ロックの場合にはジャム除去扉４０１が開くことができないようにし、ロック解除の場合にはジャム除去扉４０１を開閉可能とするものである。また、ジャム除去扉開閉センサ４０５は、ジャム除去扉４０１の開閉に伴って出力が変化するように取り付けられた、例えば、マイクロスイッチでよい。また、ジャムセンサ４０６は、転写紙Ｐの有無を検知するフォトセンサなどでよい。
【００５７】
転写紙排紙部５０は、上述のように取出し扉ロック部材５０１、取出し扉開閉センサ５０２、及び、ジャムセンサ４０６を含む。取出し扉ロック部材５０１は、ジャム除去扉ロック部材４０３と同様のもので、ロックの場合には取出し扉５２が開くことができないようにし、ロック解除の場合には取出し扉５２を開閉可能とするものである。また、取出し扉開閉センサ５０２は、取出し扉５２の開閉に伴って出力が変化するように取り付けられた、例えば、マイクロスイッチでよい。また、ジャムセンサ４０６は、転写紙Ｐの有無を検知するフォトセンサなどでよい。
【００５８】
制御部５は、後述のシステムメモリに記憶されたプログラムに基づいて複写機１の各部の制御を行う。また、操作表示部８での画像形成モードの選択の入力を受けて、画像形成モードを設定する設定手段としての機能、ジャム除去扉ロック部材４０３及び取出し扉ロック部材５０１を制御してジャム除去扉４０１及び取出し扉５２のロックまたはロック解除を制御する制御手段としての機能を有する。そのために、ＣＰＵ（図示せず）と、装置全体の制御プログラムなどの各種のプログラムとそのプログラムを実行するときに必要な各種データを記憶すると共に、各種のプログラムを実行するときのワークエリアを構成するシステムメモリ（図示せず）と、を含んで構成される。
【００５９】
ここで管理者及びユーザ登録の一例について説明しておく。
【００６０】
（管理者登録）
各複写機１に対して、管理者登録を行う。まず、操作表示部８を操作して、図８に示すような管理者登録画面２０１を表示し、管理者登録画面２０１を用いて管理者ＩＤ、Ｅメールアドレス、認証情報としてのパスワード等を入力して、登録開始キー２０２により登録を開始する。例えば、続いて表示される画面や指示に従って、認証情報として指紋情報を用いる場合には、指紋読取手段４で管理者の指紋を読み取り指紋情報を入力する、また認証をＩＣカードを用いて行う場合には、ＩＣカードをＩＣカードドライブ６挿入してＩＣカードに認証のための情報を書き込むなどして登録を行う。そして、登録された管理者の各情報は記憶部３に記憶される。
【００６１】
（ユーザ登録）
ユーザは、各複写機に対しユーザ登録を行う。ユーザ登録は、各複写機の管理者の許可の下で行われる。例えば、複写機１にユーザ登録を行う場合には、まず、複写機１の管理者の認証を行う。認証は、パスワード、指紋情報またはＩＣカード等の認証情報を入力し、認証モジュール７で、その入力された認証情報とサーバ２に記憶されている認証情報とを比較して行う。認証がなされた後に操作表示部８を操作し、図９に示すようなユーザ登録画面２１１を表示し、ユーザ登録画面２１１を用いてユーザＩＤ、Ｅメールアドレス、認証情報としてのパスワード等を入力して、登録開始キー２１２により登録を開始する。例えば、続いて表示される画面や指示に従って、認証情報として指紋情報を用いる場合には、指紋読取手段４で管理者の指紋を読み取り指紋情報を入力し、また、認証をＩＣカードを用いて行う場合には、ＩＣカードをＩＣカードドライブ６挿入してＩＣカードに認証のための情報を書き込むなどして、登録を行う。そして、登録されたユーザの各情報は記憶部３に記憶される。
【００６２】
（ジャム除去許可）
本実施の形態では、さらに、管理者は登録されたユーザをジャム除去許可ユーザまたはジャム除去不許可ユーザに区別する。ユーザの区別を行う場合には、一例として、まず、複写機１の管理者の認証を行い、認証がなされた後に操作表示部８を操作し、図１０に示すようなユーザ区別画面２２１を表示する。ユーザ区別画面２２１の不許可ユーザ表示欄２２２及び許可ユーザ表示欄２２３にそれぞれジャム除去不許可ユーザ・ジャム除去許可ユーザが表示されている。不許可ユーザ表示欄２２２及び許可ユーザ表示欄２２３には、それぞれスクロールキー２２４、２２５が表示され、スクロールキー２２４、２２５でユーザの表示を移動して対象のユーザを押下して選択し、矢印キー２２６または２２７で不許可ユーザ表示欄２２２または許可ユーザ表示欄２２３に移動させ、登録キー２２８で登録して、ユーザを区別して、特定のユーザにジャム除去の許可を与える。
【００６３】
（印刷ジョブ実行及びジャム処理）
次に、印刷ジョブ実行及びジャム処理の手順を図５及び図６を用いて説明する。図５及び図６は、印刷ジョブ実行及びジャム処理の手順の一例を示すフローチャートである。
【００６４】
以下、各画像形成モードにおける印刷ジョブ実行及びジャム処理について説明するが、本実施の形態では、開始時には、ジャム除去扉４０１は閉まっており、ジャム除去扉ロック部材４０３はロック解除されていて、取出し扉５２は閉まっており、取出し扉ロック部材５０１はロック解除されているものとして説明をする。また、詳細には述べないが、開始前にジャム除去扉４０１または取出し扉５２が開いている場合、警告等により通知し、ユーザがジャム除去扉４０１または取出し扉５２を閉めて、ジャム除去扉開閉センサ４０５及び取出し扉開閉センサ５０２で各扉が閉まったことを検知してから、画像形成モードの選択が可能となるようにすればよい。また、認証は指紋情報を用いて行うように説明するが、パスワードまたはＩＣカードによる認証であってもよい。
【００６５】
まず、ユーザ（作業者）は、操作表示部８を用いて画像形成モードの選択を行う。画像形成モードには、通常の画像形成を行う場合の通常モード、機密文書の画像形成を行う場合のセキュリティモードがありいずれかを選択し、その選択を受けて制御部５は画像形成モードの設定をする（図５ステップＳ１０１。以下、Ｓ１０１と省略して記載する。また、他のステップも同様である。）。また、機密文書とは、いわゆる営業秘密に関わるものであり、秘密として管理され、有用な技術上または営業上の情報であって、公然と知られていないものに関わるものである。
【００６６】
ここで、図６を参照し、通常モードに設定された場合について説明する。ユーザは、例えば、原稿載置台１０１に原稿Ｓを載置して原稿の画像読取を行い印刷ジョブを作成、または、記憶部３に記憶されている印刷ジョブデータを読み出して印刷ジョブ実行を開始する（Ｓ２０１）。言うまでも無いが、記憶部３に記憶されている機密文書の印刷ジョブデータは、通常モードではアクセス不能になされているものとする。
【００６７】
紙ジャムが発生せず（Ｓ２０２、Ｎ）、画像形成が全て終了すると（Ｓ２０３、Ｙ）、ユーザは、出力された書類を取り出す。このとき、取出し扉５２が開けられたままであれば、警告等により通知し、ユーザが取出し扉５２を閉めて、取出し扉開閉センサ５０２で閉まったことを検知してから、終了とする。
【００６８】
一方、紙ジャムが発生した場合には（Ｓ２０２、Ｙ）、ユーザがジャム除去扉４０１または取出し扉５２を開けてジャムを除去し、ジャムセンサ４０６が搬送路に転写紙が無いことを検知し（Ｓ２０５、Ｙ）、ジャム除去扉開閉センサ４０５及び取出し扉開閉センサ５０２で各扉が閉まったことを検知したら（Ｓ２０６、Ｙ）、印刷ジョブを再開する。
【００６９】
再び図５を参照し、セキュリティモードに設定された場合について説明する。セキュリティモードに設定された場合には、例えば操作表示部８に認証を行う旨の表示をして、ユーザが指を指紋情報読取手段４の窓に押し付けると指紋情報読取手段４はユーザの指紋情報を読み取り、認証モジュール７は、記録部３に記憶されている認証情報と比較して同じものであれば認証し（Ｓ１０２、Ｙ）、Ｓ１０３へ遷移する（このユーザ認証手順で以下のユーザの認証も行う）。一方、認証されなければ（Ｓ１０２、Ｎ）終了とする。Ｓ１０３では、ジャム除去扉ロック部材４０３及び取出し扉ロック部材５０１をロックする。そして、ユーザは、例えば、原稿載置台１０１に原稿Ｓを載置して原稿の画像読取を行い印刷ジョブを作成、または、記憶部３に記憶されている印刷ジョブデータを読み出して印刷ジョブ実行を開始する（Ｓ１０４）。言うまでも無いが、記憶部３に記憶されている機密文書の印刷ジョブデータは、セキュリティモードではアクセス可能になされている。
【００７０】
紙ジャムが発生せず（Ｓ１０５、Ｎ）、画像形成が全て終了すると（Ｓ１０６、Ｙ）、ユーザは、認証を行い、認証されれば（Ｓ１０７、Ｙ）取出し扉ロック部材５０１をロック解除し（Ｓ１０８）、ユーザは取出し扉５２を開けて出力された書類を取り出す。このとき、取出し扉５２が開けられたままであれば、警告等により通知し、ユーザが取出し扉５２を閉めて、取出し扉開閉センサ５０２で閉まったことを検知してから（Ｓ１０９、Ｙ）、終了とする。認証されない場合は（Ｓ１０７、Ｎ）取出し扉ロック部材５０１はロックのままとなる。
【００７１】
一方、紙ジャムが発生した場合には（Ｓ１０５、Ｙ）、例えば操作表示部８に認証を行う旨の表示を行う。ユーザまたはジャム除去を行う作業者が指を指紋情報読取手段４の窓に押し付けると指紋情報読取手段４はユーザの指紋情報を読み取り、認証モジュール７は、記録部３に記憶されている認証情報と比較してジャム除去許可ユーザであれば認証し（Ｓ１１０、Ｙ）、ジャム除去扉ロック部材４０３及び取出し扉ロック部材５０１をロック解除し（Ｓ１１１）、ユーザがジャム除去扉４０１または取出し扉５２を開けてジャムを除去し、ジャムセンサ４０６が搬送路に転写紙が無いことを検知し（Ｓ１１２、Ｙ）、ジャム除去扉開閉センサ４０５及び取出し扉開閉センサ５０２で各扉が閉まったことを検知したら（Ｓ１１３、Ｙ）、ジャム除去扉ロック部材４０３及び取出し扉ロック部材５０１をロックし（Ｓ１１４）、印刷ジョブを再開する。一方、Ｓ１１０で認証されない場合はジャム除去扉ロック部材４０３及び取出し扉ロック部材５０１はロックのままとなり、ジャム除去はできない。したがって、機密文書が第３者の目に触れることがない。
【００７２】
また、上述では、紙ジャムが発生した場合の認証によってジャム除去扉ロック部材４０３及び取出し扉ロック部材５０１をロック解除するように説明したが、紙づまりとなった転写紙Ｐの搬送路内の位置を紙づまりを検知したジャムセンサ４０６の位置から求め、転写紙Ｐの搬送路内の位置によっては、ジャム除去扉ロック部材４０３だけをロック解除し取出し扉ロック部材５０１はロックのままとすることや、取出し扉ロック部材５０１だけをロック解除しジャム除去扉ロック部材４０３はロックのままとすることも可能である。
【００７３】
また、図５のＳ１１０で認証されない場合に、図７に示す以下に述べる処理を行ってもよい。図７は、印刷ジョブ実行及びジャム処理の手順の一例を示すフローチャートである。
【００７４】
図７のＳ３０１乃至Ｓ３１４については、Ｓ３１０Ｎの場合が図５のＳ１１０Ｎの場合と内容が異なり、他は同じである。内容が同じステップについては詳細な説明は省略し、異なる部分のみ説明する。図５では、Ｓ１１０で認証されなかった場合には、ジャム除去扉ロック部材４０３及び取出し扉ロック部材５０１をロックのままとしたが、Ｓ３１０で認証されなかった場合に、認証されなかった指紋情報を装置のログ情報（例えば、ジャム発生時間や印刷ジョブの名前など）とともに記憶して（Ｓ３１５）、Ｓ３１１に遷移し、ジャム除去扉ロック部材４０３及び取出し扉ロック部材５０１をロック解除するようにしたものである。また、この場合には、少なくとも指紋情報のような生体情報を記憶し、また、加えて他の個人情報を記憶するようにしてもよい。このようにして、セキュリティモードのジャム除去を管理することができる。
【００７５】
また、ジャム除去扉ロック部材４０３及び取出し扉ロック部材５０１を認証等によってロックからロック解除にする場合を説明したが、セキュリティモードの場合に、上述のように自動的にロックし、出力された書類を取り出す場合やジャムを除去する場合には、機械的に鍵によってジャム除去扉ロック部材４０３または取出し扉ロック部材５０１をロック解除するようにしてもよい。この場合には鍵を管理しておくことにより、出力した書類の取出しやジャム除去を管理することができる。
【００７６】
また、上記の説明では、ジャム除去扉ロック部材４０３及び取出し扉ロック部材５０１を備える場合について説明したが、転写紙排紙部５０に代えて出力した転写紙を積載するだけの排紙トレイとして、ジャム除去扉４０１のみを上述のようにロックまたはロック解除するようにしてもよい。また、転写紙排紙部５０の取出し扉５２のみを上述のようにロックまたはロック解除するようにしてもよい。
【図面の簡単な説明】
【００７７】
【図１】本発明に係る一実施の形態の複写機の外観図である。
【図２】図１の複写機の除去扉４０１を開いた状態を説明するための図である。
【図３】本発明に係る一実施の形態の複写機の概略機械構成を示す断面図である。
【図４】本発明に係る一実施の形態の複写機の制御構成を示すブロック図である。
【図５】印刷ジョブ実行及びジャム処理の手順の一例を示すフローチャートである。
【図６】印刷ジョブ実行及びジャム処理の手順の一例を示すフローチャートである。
【図７】印刷ジョブ実行及びジャム処理の手順の一例を示すフローチャートである。
【図８】操作表示部に表示される画面の一例を示す図である。
【図９】操作表示部に表示される画面の一例を示す図である。
【図１０】操作表示部に表示される画面の一例を示す図である。
【符号の説明】
【００７８】
１  複写機
３  記憶部
４  指紋情報読取手段
５  制御部
６  ＩＣカードドライブ
７  認証モジュール
８  操作表示部
１０  画像読取部
２０  画像書込部
３０  画像形成部
４０  転写紙搬送部
４０１  ジャム除去扉
４０２  ジャム除去レバー
４０３  ジャム除去扉ロック部材
４０４  搬送ユニット
４０５  ジャム除去扉開閉センサ
５０  転写紙排紙部
５２  取出し扉
５０１  取出し扉ロック部材
５０２  取出し扉開閉センサ
４０６  ジャムセンサ
【図１】
2005319735.tif 000003
【図２】
2005319735.tif 000004
【図３】
2005319735.tif 000005
【図４】
2005319735.tif 000006
【図５】
2005319735.tif 000007
【図６】
2005319735.tif 000008
【図７】
2005319735.tif 000009
【図８】
2005319735.tif 000010
【図９】
2005319735.tif 000011
【図１０】
2005319735.tif 000012